(57)【特許請求の範囲】
【請求項１】
庫内に商品収納ラック，冷却／加熱ユニットを内蔵し、その前面に外扉，および上下二分割構造になる断熱内扉を装備した自動販売機のキャビネットであり、前記断熱内扉の上部断熱内扉の下端面，および下部断熱内扉の上端面にそれぞれガスケットを装着して扉間の隙間を閉塞するようにしたものにおいて、前記ガスケットが硬質材の台枠部と軟質材のパッキン部との一体成形品で、かつパッキン部が台枠部に形成した傾斜面から突き出した構造になり、上部，および下部断熱内扉に装着したガスケットの台枠部相互間に高さ方向の段差を設定し、断熱内扉を閉じた状態でパッキン部同士が前後に重なって密着し合うようにしたことを特徴とする自動販売機のキャビネット。
【請求項２】
請求項１記載のキャビネットにおいて、下部断熱内扉に装着したガスケットの台枠部に、パッキン部に生じた結露水を受容するダム部を形成したことを特徴とする自動販売機のキャビネット。
【発明の詳細な説明】
【０００１】
【発明の属する技術分野】
本発明は、庫内にサーペンタイン式商品収納ラックを搭載して缶，壜入り飲料商品を販売する自動販売機のキャビネットに関し、詳しくは上下二分割構造になる断熱内扉に装着したガスケットの構造に係わる。
【０００２】
【従来の技術】
まず、本発明の実施対象となる頭記自動販売機の全体構造を図３に示す。図において、１は断熱筐体としてなるキャビネット本体、２はその前面外扉、３，４は上下二分割構造になる上部断熱内扉（商品投入扉），下部断熱内扉、５はキャビネット本体１の庫内に搭載したサーペンタイン式商品収納ラック、６は商品収納ラック５の頂部前面に開口した商品投入口、７は外扉２に設けた商品取出口であり、上部断熱内扉３は外扉２の裏面側に連結して外扉と一緒に開閉するようにしている。また、図示してないがキャビネット本体１の庫内には商品を保冷（コールド商品）ないし、加温（ホット商品）する冷却／加熱ユニットを装備している。
【０００３】
かかる構成で、商品収納ラック５に商品を補給する際には、下部断熱内扉４は閉じたまま外扉２，上部断熱内扉３を開き、庫内前面の上部に開口している商品投入口６に商品（缶，壜商品）を投入する。一方、販売状態で販売指令が与えられると、商品収納ラック５から落下搬出した商品が断熱内扉４の商品払出し扉４ａを押し開いて商品取出口７に転がり出ることは周知の通りである。
【０００４】
また、キャビネット本体１の庫内冷気，ないし暖気が外方に逃げないようにするために、前記した断熱内扉３，４の周縁とキャビネット本体１との間はガスケットにより気密に閉塞するようにしており、さらに上下二分割構造になる断熱内扉を閉じた状態でその上部断熱内扉３と下部断熱内扉４との間の隙間を封止するために、図示のように上部断熱内扉３の下端，および下部断熱内扉４の上端にそれぞれガスケット８，９を敷設し、ガスケット８と９を突き合わせて分割扉合わせ面の隙間を閉塞するようにしている。
【０００５】
次に、従来の分割断熱内扉に採用されているガスケットの構造を図４，図５に示す。すなわち、上部断熱内扉３，下部断熱内扉４に合わせ端面に装着したガスケット８，９は、硬質樹脂材からなる断面三角形の台枠部８ａ，９ａと、該台枠部の傾斜面から突き出した断面半円形になる軟質樹脂材のパッキン部８ｂ，９ｂを一体形成した構成になり、台枠部８ａと９ａが前後に並んでその傾斜面がほぼ同じ高さで向かい合うようにしてそれぞれが上部断熱内扉３の下端面，下部断熱内扉４の上端面に装着されている。なお、８ｃ，９ｃは軟質樹脂材からなるヒレ状パッキンである。
【０００６】
かかる構成で上部断熱内扉３を閉じると、図５で表すようにガスケット８のパッキン部８ｂが下部断熱内扉４に装着したガスケット９の台枠部９ａの傾斜面に当接し、またガスケット９のパッキン部９ｂが相手側ガスケット８の台枠部８ａの傾斜面に当接して分割扉間の隙間を閉塞する。
【０００７】
【発明が解決しようとする課題】
ところで、前記した従来のガスケット構造では、断熱内扉の組立性，およびシール機能の面で次に記すような問題点がある。すなわち、
(1) 図５に示した扉の閉状態で分割内扉３，４のいずれか一方，あるいは双方が基準位置から僅かでも上下方向にずれると、ガスケット８，９のパッキン部８ａ，９ａが相手側ガスケットの台枠傾斜面に密着しなくなってシール性が低下したり、逆に断面三角形の台枠部（硬質材）同士が直接重なり合って食い込むなどして扉の開け閉めが困難になるなどの不具合が生じる。
【０００８】
このために、図３に示した自動販売機の組立工程では扉２，３，４の組立精度を厳しく管理しなければならないし、さらに自動販売機のロケーション先で扉開閉の繰り返しに伴うヒンジ金具の磨耗などで扉にガタツキが生じると、これが原因でガスケット８と９が間で前記のような不具合が生じ易くなる。
(2) また、キャビネットの庫内を保冷している運転状態では、庫内外の温度差からガスケット８，９の合わせ目に結露が発生し、その結露水がガスケット８の傾斜面を伝わって下部断熱内扉の表面に垂れ流れてその扉面を濡らし、そのために塵埃などが付着して扉が汚れるといった問題がある。
【０００９】
本発明は上記の点に鑑みなされたものであり、その目的は前記課題を解決し、断熱内扉の組立精度，ガタツキなどの影響を受けずに上下分割形断熱内扉の合わせ面に装着したガスケットの安定したシール性の確保，並びに扉のスムーズな開け閉めが行え、併せてガスケット部に生じた結露水の垂れ流しを防止できるように改良した自動販売機のキャビネットを提供することにある。
【００１０】
【課題を解決するための手段】
上記目的を達成するために、本発明によれば、庫内に商品収納ラック，冷却／加熱ユニットを内蔵し、その前面に外扉，および上下二分割構造になる断熱内扉を装備した自動販売機のキャビネットであり、前記断熱内扉の上部断熱内扉の下端面，および下部断熱内扉の上端面にそれぞれガスケットを装着して扉間の隙間を閉塞するようにしたものにおいて、
(1) 前記ガスケットを硬質材の台枠部と軟質材のパッキン部との一体成形品で、そのパッキン部が台枠部に形成した傾斜面から突き出した構造となし、かつ上部，および下部断熱内扉に装着したガスケットの台枠部相互間に高さ方向の段差を設定し、断熱内扉を閉じた状態でパッキン部同士が前後に重なって密着し合うように組立て構成する（請求項１）。
【００１１】
上記の構成において、ガスケット相互間の段差を、扉の組立誤差，上下方向のガタツキを十分吸収できる寸法に設定しておくことにより、上部断熱内扉，下部断熱内扉が基準位置から上下方向に多少ずれても、前後に重なり合うガスケットのパッキン部同士は密着した状態を保ち、またガスケットの台枠部（硬質材）同士が直接当たるような干渉のおそれもなく、これにより扉の組立誤差，ガタツキなどの影響を受けることなく、ガスケットの安定した気密性が確保でき、また扉の開け閉めもスムーズに行える。
【００１２】
(2) また、前項(1) の構成において、下部断熱内扉に装着したガスケットの台枠部に、パッキン部に生じた結露水を受容するダム部を形成する（請求項２）。これにより、自動販売機の保冷運転中にガスケット部に発生した結露水は内扉の表面に垂れ流れることなくダム内に溜まって自然蒸発するので、結露水の垂れ流れに起因する断熱内扉の汚れが防げる。
【００１３】
【発明の実施の形態】
以下、本発明の実施の形態を図１，図２に示す実施例により説明する。なお、実施例の図中で図４，図５に対応する部材には同じ符号を付してある。
すなわち、図示実施例の構成では、上部断熱内扉３の下端面に装着したガスケット８の台枠部８ａは扉板の前部側に、下部断熱内扉４の上端面に装着したガスケット９の台枠部９ａは扉板の後部側に装着されており、かつ両者の間には上下方向に段差ｈ（この段差ｈは扉の組立誤差，扉のガタツキ分を考慮して決定する）を設定しており、この段差ｈにより扉の組立誤差，扉の上下方向のガタツキ分を吸収し、扉３を閉じた状態（図２参照）でガスケット８の台枠部８ａとガスケット９の台枠部９ａの間に十分な間隔を残すようにしている。これにより、扉のガタツキの影響を受けることなく、断熱内扉３の開け閉めがスムーズに行えるようになる。
【００１４】
また、ガスケット８のパッキン部８ｂは前記台枠部８ａの傾斜面から下向きに延在するように突き出し形成し、ガスケット９のパッキン部９ｂは台枠部９ａの傾斜面から前向きに突き出すように形成し、図２に示す扉閉状態ではガスケット８のパッキン部８ａとガスケット９のパッキン部９ｂとが前後に重なり合って扉３と４の間の隙間を気密に閉塞するようにしている。
【００１５】
さらに、図示実施例では、下部断熱内扉４に装着したガスケット９の台枠部９ａの前部に、前縁から起立するフェンスを堰堤としてダム部９ｄを形成している。かかる構成により、庫内の保冷運転状態でガスケットのパッキン表面に生じた結露水はダム部９ｄに滴下して溜まり、ここで自然蒸発する。したがって、従来のように結露水が扉４の表面に垂れ流れて扉面を汚すことがない。
【００１６】
【発明の効果】
以上述べたように本発明の構成によれば次記の効果を奏する。
(1) 請求項１によれば、上部，および下部断熱内扉に装着したガスケットの台枠部相互間に高さ方向の段差を設定し、断熱内扉を閉じた状態でパッキン部同士が前後に重なって密着し合うように構成したことにより、キャビネットの前面に配した断熱内扉の組立誤差，上下方向のガタツキなどの影響を受けることなしに、上部断熱内扉と下部断熱内扉の間の隙間を確実に封止でき、しかもガスケットの硬質材からなる台枠部同士の干渉を防いで断熱内扉の開け閉めをスムーズに行うことができる。
【００１７】
(2) また、請求項２によれば、下部断熱内扉に装着したガスケットの台枠部に、パッキン部に生じた結露水を溜めるダム部を形成したことにより、庫内の保冷運転時にガスケットのパッキン部表面に生じた結露水がそのまま内扉の表面に垂れ流れてその扉面を汚すといった従来構造の問題点を解消できる。
【図面の簡単な説明】
【図１】本発明の実施例に係るガスケット付き断熱内扉の構造を表す断面図で、上部断熱内扉を開いた状態を表す図
【図２】図１の上部断熱内扉を閉じた状態を表す断面図
【図３】自動販売機の扉開放状態を表す外観図
【図４】従来におけるガスケット付き断熱内扉の構造を表す断面図で、上部断熱内扉を開いた状態を表す図
【図５】図４の上部断熱内扉を閉じた状態を表す断面図
【符号の説明】
１    キャビネット本体
２    外扉
５    商品収納ラック
６    商品投入口
３    上部断熱内扉
４    下部断熱内扉
８，９  ガスケット
８ａ，９ａ  台枠部
８ｂ，９ｂ  パッキン部
９ｄ  ダム部
【図１】
0003835127.tif 000002
【図２】
0003835127.tif 000003
【図３】
0003835127.tif 000004
【図４】
0003835127.tif 000005
【図５】
0003835127.tif 000006